(57)【要約】  光検出デバイス及び当該デバイスを使用するシステムの種々の実施形態を開示する。１つ以上の実施形態では、光検出デバイスは、上部面に配設されたポートを含むハウジングと、ハウジング内に配設され、試料を受け入れるようになっている受け部と、ハウジング内に光軸線に沿って配設され、作用区域を有する入力面を含む検出器と、ハウジング内に、光軸線に沿って受け部と検出器の入力面との間に配設された反射体と、を含むことができる。反射体は、受け部に隣接して配設された入力アパーチャ、検出器の入力面に隣接して配設された出力アパーチャ、及び入力アパーチャと出力アパーチャとの間に延在する反射面を含むことができる。【選択図】図２
2018509624.tif 000002
【特許請求の範囲】
【請求項１】
ハウジング軸線に沿って上部面と底部面との間に延在するハウジングであって、前記ハウジングは、前記上部面に配設されたポートを含み、前記ポートは、開口部を含む、ハウジングと、
前記ハウジング内に配設され、試料を受け入れるようになっている受け部であって、前記受け部は、光軸線に沿って延在する受け部本体を含み、前記受け部本体は、前記ハウジングの前記ポートの前記開口部に接続された第１の端部、及び第２の端部を含む、受け部と、
前記ハウジング内に前記光軸線に沿って配設され、前記受け部本体の前記第２の端部に隣接する入力面を含む検出器であって、前記入力面は、作用区域を含む、検出器と、
前記ハウジング内に、前記光軸線に沿って前記受け部本体の前記第２の端部と前記検出器の前記入力面との間に配設された反射体であって、前記受け部本体の前記第２の端部に隣接して配設された入力アパーチャ、前記検出器の前記入力面に隣接して配設された出力アパーチャ、及び前記入力アパーチャと前記出力アパーチャとの間に延在する反射面を含む反射体と、を備え、
前記反射体の前記出力アパーチャの断面積は、前記検出器の前記入力面の前記作用区域の表面以下である、光検出デバイス。
【請求項２】
前記反射体の前記反射面は、第１の曲率半径を有する第１の部分を含む、請求項１に記載のデバイス。
【請求項３】
前記反射体の前記反射面は、前記第１の曲率半径とは異なる第２の曲率半径を有する第２の部分を更に含む、請求項２に記載のデバイス。
【請求項４】
前記第１の曲率半径の中心及び前記第２の曲率半径の中心のそれぞれは、前記反射体の前記出力アパーチャにより画定される平面が、前記第１の曲率半径の前記中心及び前記第２の曲率半径の前記中心のうちの一方又は両方と、前記反射体の前記入力面との間にあるように、前記平面上又は前記平面の下方のいずれかに配置される、請求項３に記載のデバイス。
【請求項５】
前記受け部は、前記受け部本体内の前記本体の前記第１の端部と前記第２の端部との間に配設されたシャッターを更に含み、前記シャッターは、前記試料が前記受け部内に配設されていない時に、前記ポートを通って前記ハウジングに入射する周囲光の少なくとも一部分が前記検出器の前記入力面の前記作用区域を通って透過することを防止するようになっている、請求項１〜４のいずれか一項に記載のデバイス。
【請求項６】
前記シャッターは、前記ハウジング内に配設された回路をアクティブ化するスイッチに接続される、請求項５に記載のデバイス。
【請求項７】
前記反射体は、多層光学フィルムを含む、請求項１〜６のいずれか一項に記載のデバイス。
【請求項８】
前記多層光学フィルムは、成形基材上に配設される、請求項７に記載のデバイス。
【請求項９】
前記多層光学フィルムは、選択された形状へと熱成形される、請求項７に記載のデバイス。
【請求項１０】
前記反射体の一部分は、前記出力アパーチャにおいて前記検出器の前記入力面と接触している、請求項１〜９のいずれか一項に記載のデバイス。
【請求項１１】
前記検出器の前記入力面の前記作用区域は、前記光軸線が前記作用区域の中心と交差するように前記光軸線と位置合わせされている、請求項１〜１０のいずれか一項に記載のデバイス。
【請求項１２】
前記検出器の前記入力面の前記作用区域は、前記反射体の前記出力アパーチャにより取り囲まれている、請求項１〜１１のいずれか一項に記載のデバイス。
【請求項１３】
前記反射体と前記検出器の前記入力面とは、光空洞を形成する、請求項１〜１２のいずれか一項に記載のデバイス。
【請求項１４】
前記受け部は、前記受け部本体の前記第２の端部に隣接する透過領域を更に含み、前記透過領域の少なくとも一部分は、前記光空洞内に配設される、請求項１３に記載のデバイス。
【請求項１５】
前記透過領域は、前記受け部本体の前記第２の端部に接続された透過カップを含む、請求項１４に記載のデバイス。
【請求項１６】
前記光空洞に光を射出するようになっている光源を更に備える、請求項１３に記載のデバイス。
【請求項１７】
前記光源は、発光ダイオードを含む、請求項１６に記載のデバイス。
【請求項１８】
前記光源の射出軸線は、前記検出器の前記入力面の前記作用区域の中心と交差する、請求項１６に記載のデバイス。
【請求項１９】
前記光源の前記射出軸線は、前記光軸線に対して平行ではない、請求項１８に記載のデバイス。
【請求項２０】
前記受け部は更に、試料採取装置を受け入れるようになっている、請求項１〜１４のいずれか一項に記載のデバイス。
【請求項２１】
前記受け部は、前記検出器と前記受け部内に配設された試料との間に汚染障壁を提供するようになっている、請求項１〜２０のいずれか一項に記載のデバイス。
【請求項２２】
前記検出器は、光電子増倍管を含む、請求項１〜２１のいずれか一項に記載のデバイス。
【請求項２３】
前記検出器は、フォトダイオードを含む、請求項１〜２２のいずれか一項に記載のデバイス。
【請求項２４】
前記試料は、生物発光試料を含み、前記光検出デバイスは、前記デバイス内に配設された前記生物発光試料が射出した光を検出するようになっている、請求項１〜２３のいずれか一項に記載のデバイス。
【請求項２５】
前記光軸線は、前記ハウジング軸線に対して平行である、請求項１〜２４のいずれか一項に記載のデバイス。
【請求項２６】
前記検出器の前記入力面は、前記光軸線に直交している、請求項１〜２５のいずれか一項に記載のデバイス。
【請求項２７】
前記入力アパーチャ、前記出力アパーチャ、及び前記検出器の前記入力面の前記作用区域は、前記光軸線に沿ってセンタリングされる、請求項１〜２６のいずれか一項に記載のデバイス。
【請求項２８】
前記反射体の前記出力アパーチャの断面積は、前記入力アパーチャの断面積よりも大きい、請求項１〜２７のいずれか一項に記載のデバイス。
【請求項２９】
前記反射体の前記出力アパーチャの前記断面積は、前記入力アパーチャの前記断面積の少なくとも２倍である、請求項１〜２８のいずれか一項に記載のデバイス。
【請求項３０】
前記反射体の前記出力アパーチャの前記断面積は、前記入力アパーチャの前記断面積の多くとも７０倍である、請求項１〜２９のいずれか一項に記載のデバイス。
【請求項３１】
前記ハウジング軸線と垂直軸線との間に形成される角度を判定するようになっている傾斜検出構成要素を更に備える、請求項１〜３０のいずれか一項に記載のデバイス。
【請求項３２】
試料採取装置と、請求項１〜３１のいずれか一項に記載の前記光検出デバイスと、を備える、光検出システム。
【請求項３３】
前記試料採取装置は、
開口部、及び前記検出器に動作可能に結合されるようになっているキュベット部を備える容器と、
試料採取部を含む試料採取デバイスであって、前記試料採取部は、前記試料を取得し、解放可能に保持するようになっている、試料採取デバイスと、を備える、請求項３２に記載のシステム。
【請求項３４】
前記受け部は、前記試料採取装置を受け入れるようになっている、請求項３３に記載のシステム。
【請求項３５】
前記反射体と前記検出器の前記入力面とは、光空洞を形成し、前記反射体の前記入力アパーチャは、前記試料採取装置が前記受け部内に配設された時に前記キュベット部の少なくとも一部分が前記光空洞内に配設されるように、前記試料採取装置の前記キュベット部を受け入れるようになっている、請求項３４に記載のシステム。
【請求項３６】
光検出デバイスの受け部内に生物発光試料を配設することであって、前記受け部は、光軸線に沿って延在する受け部本体を含み、前記受け部本体は、第１の端部及び第２の端部を含む、ことと、
前記光軸線に沿って検出器を配設することであって、前記検出器は入力面を含む、ことと、
前記光軸線に沿って前記受け部本体の前記第２の端部と前記検出器の前記入力面との間に反射体を配設することであって、前記反射体は、前記受け部本体の前記第２の端部に隣接して配設された入力アパーチャ、前記検出器の前記入力面に隣接して配設された出力アパーチャ、及び前記入力アパーチャと前記出力アパーチャとの間に延在する反射面を含み、前記反射体と前記検出器の前記入力面とは、光空洞を形成する、ことと、
前記生物発光試料により前記光空洞に射出された光を、前記検出器の前記入力面の作用区域を通して方向付けることであって、前記反射体の前記出力アパーチャの断面積は、前記検出器の前記入力面の前記作用区域の表面積以下である、ことと、
前記検出器を使用して、前記射出された光の特性を測定することと、を含む、方法。
【請求項３７】
前記射出された光の前記特性を測定することは、前記検出器を使用して、前記生物発光試料により射出された光子の数を測定することを含む、請求項３６に記載の方法。
【発明の詳細な説明】
【背景技術】
【０００１】
試料採取プログラムは、食品飲料産業において重要な原材料、中間材料、完成品、及び処理環境を監視するために使用される。また、患者環境の環境表面、並びにスクリーニング手順及び治療手順で使用される器具及びデバイスを除染することの有効性を監視するために、医療環境において同様の試料採取プログラムが使用される。定期的な試料採取及び検査により、品質保証担当者はごく初期の段階で、微生物等の望ましくない物質を検出し、設備及び／又は製品の続いて起こる汚染を防止するための処置をとることができる。これらの望ましくない物質を検出するために、様々な検査を実施することができる。このような検査の例としては、化学残留物検査（例えば、アデノシン三リン酸（ＡＴＰ）生物発光検査及びタンパク質比色分析検査）、培養方法、遺伝子検査（例えば、ＰＣＲ）、免疫診断検査、及び生物発光検査が挙げられる。
【０００２】
典型的に、試料採取デバイス又は装置を使用して、環境検査のための表面試料を採取する。市販の試料採取装置としては、スポンジ、スワブ等の吸収装置が挙げられる。加えて、ある特定の試料採取装置は、所定の量の液体試料を採取することができる。
【０００３】
ＡＴＰは、すべての代謝系におけるエネルギー「通貨」として使用されるので、試料中の有機残渣又は生物有機残渣の存在を示すことができる。ＡＴＰの存在は、生物発光酵素アッセイを使用して測定することができる。例えば、ルシフェリン／ルシフェラーゼ酵素アッセイシステムは、ＡＴＰを使用して光を発生させる。この光出力は、光検出デバイス、例えば照度計において検出及び定量化することができる。試料中のＡＴＰの存在は、微生物の存在の直接の指標であり得る（即ち、ＡＴＰは、他のＡＴＰ源を含んでいない試料中の微生物に由来する）か、あるいは、ＡＴＰは、微生物の存在の間接的な指標であり得る（即ち、ＡＴＰは、植物性又は動物性の物質に由来し、微生物の成長を支援する栄養素が試料中に存在し得ることを示す）。加えて、試料中のＡＴＰの有無を使用して、定期的に、食品産業、飲料産業、医療産業（例えば、環境表面、手術器具、内視鏡、及び他の医療用デバイス）、水産業、並びに衛生産業における洗浄プロセスの有効性を評価する。
【０００４】
例えば、ＡＴＰ測定値システムは、食品業界において、衛生プロセスの有効性を監査するために、１５年以上にわたって監視ツールとして利用されてきた。このようなシステムは、洗浄及び消毒する必要がある食品処理作業において一般に見られる種々の表面で、非常に少量のＡＴＰ（例えば、１フェムトモル）を検出することができる。浄化されたと考えられる表面でＡＴＰの存在が検出されると、洗浄プロセス及び殺菌プロセスの失敗を示すことができる。
【０００５】
近年、患者の環境の清浄度を監視するため臨床適用例において、ＡＴＰ監視ツールが同様の目的のための利用されている。現在、院内の汚染表面が、例えば、Ｃ．ディフィシル、ＶＲＥ、ＭＲＳＡ、Ａ．バウマニ、及び緑膿菌（P. aeruginosa）の伝染性かつ流行性の伝播、並びにノロウイルスの流行性の伝播に対して重大な寄与をなすという、説得力のある臨床的根拠がある。効果的な感染防止プログラムには、環境の清浄度のシステマティックな監視が含まれる。ＡＴＰ監視は、例えば、そのようなプログラムをサポートするために使用され得る定量測定システムを提供することができる。
【発明の概要】
【０００６】
概して、本開示は、光検出デバイス、及び当該検出デバイスを利用するシステムの種々の実施形態を提供する。光検出デバイスは、ハウジングと、ハウジング内に配設された受け部と、同じくハウジング内に配設された検出器と、を含むことができる。光検出デバイスはまた、ハウジング内の受け部の第２の端部と検出器の入力面との間に配設された反射体を含むことができる。１つ以上の実施形態では、反射体の出力アパーチャの断面積は、検出器の入力面の作用区域面積以下であることがある。
【０００７】
一態様では、本開示は、ハウジング軸線に沿って上部面と底部面との間に延在するハウジングを含む光検出デバイスであって、ハウジングは、上部面に配設されたポートを含み、ポートは、開口部を含む、光検出デバイスを開示する。光検出デバイスはまた、ハウジング内に配設され、試料を受け入れるようになっている受け部を含み、受け部は、光軸線に沿って延在する受け部本体を含み、受け部本体は、ハウジングの前記ポートの開口部に接続された第１の端部、及び第２の端部を含む。光検出デバイスはまた、ハウジング内に光軸線に沿って配設された検出器を含み、かつ、受け部本体の前記第２の端部に隣接する入力面を含み、入力面は、作用区域を含む。更に、光検出デバイスはまた、ハウジング内に、光軸線に沿って受け部本体の第２の端部と前記検出器の入力面との間に配設された反射体を含み、反射体は、受け部本体の第２の端部に隣接して配設された入力アパーチャ、検出器の前記入力面に隣接して配設された出力アパーチャ、及び入力アパーチャと出力アパーチャとの間に延在する反射面を含む。更に、反射体の出力アパーチャの断面積は、検出器の入力面の作用区域の表面積以下である。
【０００８】
別の態様では、本開示は、光検出デバイスの受け部内に生物発光試料を配設することを含む方法を提供し、受け部は、光軸線に沿って延在する受け部本体を含む。受け部本体は、第１の端部及び第２の端部を含む。方法は更に、光軸線に沿って検出器を配設することを含み、検出器は入力面を含む。方法は更に、光軸線に沿って受け部本体の第２の端部と検出器の入力面との間に反射体を配設することを含み、反射体は、受け部本体の第２の端部に隣接して配設された入力アパーチャ、検出器の入力面に隣接して配設された出力アパーチャ、及び入力アパーチャと出力アパーチャとの間に延在する反射面を含む。反射体と検出器の入力面とは、光空洞を形成する。方法は更に、生物発光試料により光空洞に射出された光を、検出器の入力面の作用区域を通して方向付けることを含み、反射体の出力アパーチャの断面積は、検出器の入力面の作用区域の表面積以下である。更に、方法は、検出器を使用して、射出された光の特性を測定することを含む。
【０００９】
本明細書に記載されるすべての見出しは読者の利便性のためのものであって、特に断りのない限り、見出しの後に続く文面の意味を限定するために使用されるものではない。
【００１０】
「備える」という用語及びこの変化形は、明細書及び特許請求の範囲においてこれらの用語が用いられる箇所で限定的な意味を持たない。そのような用語は、記述されるステップ若しくは要素、又はステップの群若しくは要素の群を包含することを示唆するが、いかなる他のステップ若しくは要素、又は他のステップの群若しくは要素の群も排除しないことを示唆するものであると、理解されるであろう。
【００１１】
「好ましい」及び「好ましくは」という言葉は、一定の状況下で一定の利益を提供できる、本開示の実施形態を指す。しかしながら、同じ又は他の状況において他の実施形態が好ましい場合もある。更には、１つ以上の好ましい実施形態の記載は、他の実施形態が有用ではないことを示唆するものではなく、本開示の範囲から他の実施形態を排除することを意図するものではない。
【００１２】
本出願において、用語「ａ」、「ａｎ」、及び「ｔｈｅ」は、１つの実体のみを指すことを意図したものではなく、その説明のために具体的な例が用いられ得る一般的な部類を含む。用語「ａ」、「ａｎ」、及び「ｔｈｅ」は、「少なくとも１つの」なる語と互換可能に使用される。その後に列挙が続く「〜のうちの少なくとも１つ」及び「〜のうちの少なくとも１つを備える」という語句は、その列挙内の項目のうちの任意の１つ、及び、その列挙内の項目のうちの２つ以上の任意の組み合わせを指す。
【００１３】
その後に列挙が続く「〜のうちの少なくとも１つ」及び「〜のうちの少なくとも１つを備える」という語句は、その列挙内の項目のうちの任意の１つ、及び、その列挙内の項目のうちの２つ以上の任意の組み合わせを指す。
【００１４】
本明細書で使用する場合、用語「又は」は、内容が明確に他を指示しない限り、概ね、「及び／又は」を含む普通の意味で利用される。本開示の特定の部分における用語「及び／又は」使用は、他の部分における「又は」の使用が「及び／又は」を意味することができないことを意味することを意図したものではない。
【００１５】
「及び／又は」という用語は、列挙される要素のうちの１つ若しくはすべて、又は列挙される要素のうちの任意の２つ以上の組み合わせを意味する。
【００１６】
本明細書において、測定された量に関連して使用する時、用語「約」は、測定をし、測定の対象物及び使用された測定装置の精度と同等の水準の注意を行使した当業者によって期待される測定量における変動を指す。本明細書においては、「最大で」数字（例えば、「最大で５０」）という場合には、その数（例えば、「５０」）を含む。
【００１７】
本明細書ではまた、端点による数値範囲の記載は、その範囲内に包摂されるすべての数、並びにその端点を含むものである（例えば、１〜５は、１、１．５、２、２．７５、３、３．８０、４、５などを含む）。
【００１８】
本開示のこれらの態様及び他の態様は、以下の「発明を実施するための形態」から明らかとなるであろう。しかしながら上記の概要は、特許請求される発明の主題を限定するものとして決して解釈するべきではなく、発明の主題は付属の「特許請求の範囲」によってのみ定義されるものである。なお、特許請求の範囲は手続きにおいて補正される場合もある。
【図面の簡単な説明】
【００１９】
本明細書の全体を通じて添付の図面を参照するが、図中、同様の参照番号は、同様の要素を示す。
【図１】光検出システムの一実施形態の概略斜視図である。
【図２】図１の光検出システムの光検出デバイスの概略断面図である。
【図３】図２の光検出デバイスの受け部の概略断面図である。
【図４】図２の光検出デバイスの一部分の概略断面図である。
【図５】図２の光検出デバイスの反射体の概略断面図である。
【図６】試料採取装置の一実施形態の概略断面図である。
【発明を実施するための形態】
【００２０】
概して、本開示は、光検出デバイス、及び当該検出デバイスを利用するシステムの種々の実施形態を提供する。光検出デバイスは、ハウジングと、ハウジング内に配設された受け部と、同じくハウジング内に配設された検出器と、を含むことができる。光検出デバイスはまた、ハウジング内の受け部の第２の端部と検出器の入力面との間に配設された反射体を含むことができる。１つ以上の実施形態では、反射体の出力アパーチャの断面積は、検出器の入力面の作用区域面積以下であることがある。
【００２１】
任意の好適な適用例において、光検出デバイスを利用することができる。例えば、光検出デバイスを使用して、デバイス内に配設された生物発光試料が射出した光を検出し、測定することができる。生物発光試料は、任意の好適な試料を含むことができる。１つ以上の実施形態では、生物発光試料は、ルシフェリン−ルシフェラーゼ酵素反応から光を生成して、種々の環境試料からＡＴＰの存在を検出及び定量化することができる。
【００２２】
その時点で利用可能なＡＴＰ検出システムの精度及び繰り返し性は著しく変動し得る。そのような変動は、繰り返し可能に試料を取得する難しさに起因する。更に、ルシフェリン−ルシフェラーゼ検出ケミストリーを採用するシステムは、試薬組成物の調整法の繰り返し性の欠如、及びアッセイに試薬を提供するために採用されるフォームファクタを理由に変動することができる。加えて、検出システムの光学特性は、精度及び繰り返し性に影響を及ぼし得る。例えば、検出システムは、反射体と、検出器と、試料を収容する試料チャンバ又はキュベット部と、を含むことができ、それらは、異なる設計、構成及びアラインメントを有することができる光学縦列を形成する。更に、すべてのシステムは、システムの使いやすさだけでなく、システムの性能全体にも影響を及ぼすユーザエクスペリエンスを作り出す。
【００２３】
本開示の１つ以上の実施形態は、有利なことに、試料が射出した光の捕捉効率を最適化し、それにより、精度及び再現性に関して、全体的な感度を向上させ、システムのロバスト性を増大させることができる。更に、１つ以上の実施形態は、ハウジング内に配設された回路及び／又は検出器に光検出デバイスに配設された試料が漏出することを防止することができる、光検出デバイスのハウジング内に配設された受け部を含むことができる。
【００２４】
図１〜図５は、光検出システム２の一実施形態の種々の図である。システム２は、光検出デバイス１０と、試料採取装置（図示せず）、例えば、図６の試料採取装置８０と、を含むことができる。光検出デバイス１０は、デバイス内に配設された試料が射出した光を検出するようになっている任意の好適な光検出デバイス、例えば、照度計を含むことができる。光検出デバイス１０は、持ち運び可能なハンドヘルドデバイスであり得る。１つ以上の実施形態では、光検出デバイス１０は、研究室で使用するためのベンチトップデバイスであり得る。
【００２５】
デバイス１０は、ハウジング１２を含むことができる。ハウジング１２は、任意の好適な形状又は形状の組み合わせをとることができる。更に、ハウジングは、任意の好適な材料又は材料の組み合わせを含むことができる。ハウジング１２は、ハウジング軸線４に沿って上部面１４から底部面１６まで延在することができる。ハウジング１２はまた、上部面１４と底部面１６との間に配設されたハンドル部１８を含むことができる。更に、ハウジング１２は、単一の一体型ハウジングであっても、あるいは、任意の好適な技術又は技術の組み合わせ、例えば、ねじ、接着剤、タブなどを使用して取り付けられるいくつかの部分を含んでもよい。１つ以上の実施形態では、ハウジング１２は、ユーザがハウジングを把持し、片手でデバイス１０を動作させることを可能にする人間工学的な形状又は形状の組み合わせをとることができる。
【００２６】
ハウジング１２はまた、ハウジングの上部面１４に配設されたポート２０を含むことができる。ポート２０は、上部面１４に配設されているものとして示されているが、任意の好適なハウジング表面１２に、例えば、ハウジングの底部面１６、前部面１３又は後部面１５に配設してもよい。ポート２０は、試料採取装置（例えば、図６の試料採取装置８０）を受け入れるようになっていてもよい。ポート２０は、任意の適切な形状又は形状の組み合わせをとることができる。ポート２０は、ハウジング軸線４に沿ってポートに形成された開口部２１を含むことができる。開口部２１は、任意の好適な形状又は形状の組み合わせをとることができ、任意の好適な寸法を含むことができる。１つ以上の実施形態では、開口部２１は、試料を受け入れるようになっていてもよい。更に、１つ以上の実施形態では、開口部２１は、本明細書で更に説明するように、試料採取装置を受け入れるようになっていてもよい。
【００２７】
１つ以上の実施形態では、ハウジング１２はまた、周囲光がハウジングに入射することを防止するために、ポート２０を覆うようになっている扉１１を含むことができる。任意の好適な扉１１、例えば、２０１５年３月１３日付けで出願された、同時係属中の米国仮特許出願第６２／１３２，７９０号（代理人書類番号７６０７２ＵＳ００２）に記載されている扉を利用することができる。任意の好適な技術又は技術の組み合わせ、例えば、ヒンジを使用して、扉１１をハウジング１２に取り付けることができる。更に、扉１１がポート２０を閉じるようになっているように、任意の好適な位置で、当該扉をハウジング１２に取り付けることができる。１つ以上の実施形態では、扉１１は、扉が別個の構成要素であるように、ハウジング１２から取り外し可能であってもよい。
【００２８】
図１には示されていないが、ポート２０はまた、レッジと、扉１１に係合することができる１つ以上のガスケットと、を含むことができ、扉が閉位置にある時に周囲光がハウジングに入射することを防止するために、密封ポートを提供することができる。ハウジング１２は、任意の好適な外部デバイス、例えば、電源、コンピュータ、メモリデバイスなどにデバイス１０を接続する能力を提供する任意の種類の追加のポート、例えば、通信ポート又は電気ポートを含むことができる。
【００２９】
光検出デバイス１０はまた、ユーザがデバイスを用いて種々の機能を実行するためのインターフェースを提供するようになっている１つ以上の制御２２を含むことができる。任意の好適な制御２２（１つ以上）は、デバイス１０を備えることができる。更に、１つ以上の実施形態では、ハウジング１２内の又はその上の任意の好適な位置に制御２２を配設することができる。例えば、図１に示した実施形態では、ユーザが、ハウジング１２のハンドル部１８を把持し、把持している手の指を用いて制御を動作させることができるように、制御２２が配設される。制御２２をそのように配置することにより、片手でのデバイス１０の使用が可能になる。制御２２は、デバイス１０のハウジング１２内に配設された任意の好適な回路２８に電気結合され得る。かかる回路２８は、任意の好適な電子デバイス（１つ以上）、例えば、１つ以上のコントローラ、プロセッサ、ストレージデバイス、電力変換器、アナログ／デジタル変換器、ＧＰＳ構成要素、無線アンテナ、及び受信器などを含むことができる。回路２８は、任意の好適な電源（１つ以上）、例えば、バッテリー２６、外部電源などに電気結合され得る。
【００３０】
デバイス１０はまた、デバイスのハウジング１２内に配設された回路２８とのユーザインターフェースを提供するようになっているディスプレイ２４を含むことができる。ディスプレイ２４は、任意の好適なディスプレイを含むことができる。１つ以上の実施形態では、ディスプレイ２４は、デバイスの制御をユーザに提供し、かつ、ユーザに情報も表示するタッチ感知ディスプレイであり得る。任意の好適なタッチ感知ディスプレイ２４は、デバイス１０と共に利用することができる。
【００３１】
また、図２〜図３に示すように、デバイス１０のハウジング１２内に、受け部３０が配設される。１つ以上の実施形態では、受け部３０は、試料採取装置、例えば、図６の試料採取装置８０を受け入れるようになっている。更に、１つ以上の実施形態では、試料採取装置を使用せずに、試料を受け部に直接配設することができる。一般に、受け部３０は、光検出デバイス１０のハウジング１２へと試料採取装置を誘導するようになっていてもよい。受け部３０は、光軸線３１に沿って延在する受け部本体３２を含むことができる。受け部本体３２は、ハウジング１２のポート２０の開口部２１に接続された第１の端部３４と、第２の端部３６と、を含むことができる。１つ以上の実施形態では、受け部本体３２はまた、当該本体の第２の端部３６に隣接して配設された任意の透過領域３８を含むことができる。ここで使用する場合、「第２の端部に隣接して」という語句は、透過領域３８が、本体３２の第１の端部３４よりも第２の端部３６に近接するように配設されていることを意味する。図２〜図３には透過領域３８を含むものとして示されているが、受け部本体３２は、代わりに、第２の端部３６に開口部を含み、透過領域を含まなくてもよい。そのような実施形態では、試料を収容する試料採取装置のキュベット部が第２の本体３２を越えて端部３６で延在するように、試料採取装置を受け部３０内に配設することができる。
【００３２】
任意の好適な位置又は任意の好適な向きで、デバイス１０のハウジング１２内に受け部３０を配設することができる。一般に、受け部３０は、試料採取装置が、受け部本体３２の第２の端部３６に隣接して配設された検出器４０に対して適切に向けられるようになっており、そうなるようにハウジング１２内に配設される。例えば、光軸線３１がハウジング軸線４と任意の好適な角度を形成するように受け部３０を配設することができる。例えば、光軸線３１は、ハウジング軸線４と実質的に平行であり得る。本明細書で使用する場合、「ハウジング軸線と実質的に平行」という用語は、光軸線３１がハウジング軸線４と１０度以下の角度を形成することを意味する。更に、例えば、光軸線３１は、ハウジング軸線４と実質的に共線であり得る。
【００３３】
１つ以上の実施形態では、検査中に検出器から出力される信号が最大になるように、デバイスが操作位置に保持された時の光軸線３１と垂直軸線との間の角度が選択されるように、ハウジング１２内に受け部３０を配設することができる。本明細書で使用する場合、「垂直軸線」という用語は、地球の重力場と位置合わせされている軸線を指す。１つ以上の実施形態では、光軸線３１と垂直軸線との間の角度は、０°〜４５°の範囲内である。１つ以上の実施形態では、光軸線３１と垂直軸線との間の角度は、０°〜３０°の範囲内である。
【００３４】
任意の好適な技法又は技法の組み合わせを使用して、ポート２０の開口部２１に受け部本体３２の第１の端部３４を接続することができる。１つ以上の実施形態では、受け部とポート２０との間の任意の隙間又は空間を通ってハウジング１２の内部に光又は外部の環境要素が入ることを防止するために、受け部本体３２の第１の端部３４をポート２０の開口部２１に封止することができる。１つ以上の実施形態では、受け部本体３２は、ポート２０、例えば、ポートと一体とすることができ、受け部本体は、単一部品から製造しても、あるいは、単一部品に成型してもよい。１つ以上の実施形態では、受け部３０をハウジングから取り外す、修復する、洗浄する、又は交換することができるように、ポート２０を受け部本体３２とは別に製造することができる。
【００３５】
受け部本体３２は、任意の適切な材料又は材料の組み合わせを含むことができる。１つ以上の実施形態では、受け部本体３２の上側領域３３は、当該上側領域が不透明であるような材料又は材料の組み合わせを含むことができる。１つ以上の実施形態では、上側領域３３は、反射性又は吸光性の材料又は材料の組み合わせを含むことができる。１つ以上の実施形態では、上側領域３３の第１の部分を反射性とすることができ、第２の部分を吸光性とすることができる。
【００３６】
受け部本体３２の任意の透過領域３８は、受け部３０内に配設された試料が射出した光の少なくとも一部分を透過領域が透過するような任意の好適な材料又は材料の組み合わせを含むことができる。更に、透過領域３８は、任意の好適な技術又は技術の組み合わせを使用して受け部本体３２の第２の端部３６に接続される透過カップであり得る。１つ以上の実施形態では、透過領域３８の材料及び／又は構成は、広帯域光、例えば、紫外光、可視光、及び赤外光のうちの少なくとも１つを透過するようになっていてもよい。１つ以上の実施形態では、透過領域３８は、狭帯域光、例えば、紫外光のみを透過するようになっていてもよい。更に、１つ以上の実施形態では、透過領域３８は、狭帯域可視光、例えば、青色光を透過するようになっていてもよい。透過領域３８はまた、本明細書で更に説明するように、受け部３０内に配設された試料が射出した光が、受け部３０の第２の端部３６に隣接して配設された検出器４０に向かって方向付けられるようになっていてもよい。
【００３７】
受け部本体３２の上側領域３３と透過領域３８とは一体であり得る。１つ以上の実施形態では、上側領域と透過領域とが、任意の好適な技術又は技術の組み合わせを使用して別々に製造され、取り付けられるように、上側領域３３を透過領域３８に取り付けることができる。
【００３８】
１つ以上の実施形態では、受け部本体３２は、受け部内に配設された試料を封入し、試料が本体からデバイス１０のハウジング１２の内部へと漏出することを防止するようになっている。かかる漏出は、デバイス１０の内部回路２８、及び検出器４０を損傷する原因となり得る。換言すると、受け部３０は、検出器４０と受け部内に配設された試料との間の汚染障壁を提供するようになっていてもよい。
【００３９】
本明細書で述べるように、ハウジング１２内に受け部３０を永続的に配設することができる。１つ以上の実施形態では、受け部３０は、取り外し可能であるようにハウジング１２内に配設され得る。受け部３０を取り外すために、ハウジング１２は、表面を離隔し、それにより、ハウジング１２の内部へのアクセスを提供するように、任意の好適な技術を使用して取り付けられた１つ以上の部分又は部品を含むことができる。ハウジング１２の内部が露出されると、受け部３０を取り外して、洗浄すること、修復すること、又は交換することのいずれかを行うことができる。
【００４０】
受け部３０はまた、受け部本体３２内に配設されたシャッター３７を含むことができる。シャッター３７は、（例えば、試料採取装置内に配設された）試料が存在しない時に、周囲光が検出器４０に入射し、潜在的に検出器を損傷させる原因となることをシャッターが防止するように、受け部本体３２内の任意の好適な位置に配設することができる。１つ以上の実施形態では、シャッター３７は、試料採取装置がポート２０の開口部２１を通って受け部３０に挿入された時に試料採取装置により変位されないようになっている。１つ以上の実施形態では、シャッター３７は、受け部本体３２の第１の端部３４と第２の端部３６との間に配設される。シャッター３７は、受け部本体３２に沿って検出器４０へと光が方向付けられることを防止するようになっている任意の好適な機構を含むことができる。例えば、シャッター３７は、電気シャッター、機械シャッター、又は電気機械シャッターを含むことができる。試料採取装置が受け部本体３２に挿入されるにつれて、試料採取装置の端部部分（例えば、図６の試料採取装置８０のキュベット部１００）は、シャッター３７を押圧し、シャッターを変位させ、例えば、本体３２の透過領域３８に試料採取装置の端部部分を挿入することが可能になる。
【００４１】
任意の好適な技術又は技術の組み合わせを使用して、シャッター３７を受け部本体３２に取り付けることができる。例えば、ヒンジ３９を使用して、シャッター３７を受け部本体３２に取り付けることができる。任意の好適なヒンジを利用することができる。１つ以上の実施形態では、ヒンジ３９が閉位置に付勢されるように、ヒンジ３９にばね荷重型とすることができる。試料採取装置の端部部分をシャッター３７に対して押圧すると、シャッターは、閉位置から開位置まで移動し、それにより、試料採取装置の端部部分を、例えば、受け部本体３２の透過領域３８に挿入することが可能になる。受け部本体３２は、開位置にある時、例えば、試料採取装置が受け部本体内に配設されている時に、シャッター３７に適応する嵌め込み部分３５を含むことができる。
【００４２】
シャッター３７は、受け部３０内に配設された試料を分析するために利用される回路２８をアクティブ化するようになっているスイッチに電気結合することができる。任意の好適なスイッチ又はスイッチの組み合わせをシャッター３７と共に利用することができる。１つ以上の実施形態では、回路２８は、シャッター３７が閉位置にある時に検出器４０がアクティブ化されることを防止することができる。かかる構成は更に、ポート２０及び受け部３０を通ってハウジングに入射する周囲光による検出器４０への損傷を防止することができる。
【００４３】
光検出システム２の光検出デバイス１０はまた、入力面４２を含む検出器４０を含むことができる。検出器４０は、任意の好適な検出デバイス又はデバイスの組み合わせ、例えば、光電子増倍管、アバランシェ検出器、フォトダイオードなどを含むことができる。検出器４０は、受け部３０内に配設された試料が射出し、検出器の作用区域内で入力面４２を通して方向付けられる光を受光するようになっている。本明細書で使用する場合、「作用区域」という用語は、光を検出器４０へと透過し、検出することができる、入力面４２の区域を意味する。作用区域の外側の入力面４２を通って透過した光は、検出器４０には検出されない。作用区域は、入力面４２の任意の好適な部分（１つ以上）を含むことができる。１つ以上の実施形態では、作用区域の表面積は、入力面４２の表面積と同じであり得、即ち、作用区域と入力面とは一致している。１つ以上の実施形態では、作用区域の表面積は、入力面４２の表面積よりも小さいことがある。更に、作用区域は、任意の好適な形状又は形状の組み合わせをとることができ、任意の好適な寸法を有することができる。１つ以上の実施形態では、作用区域は円形形状であり得る。かかる実施形態では、作用区域の直径は、少なくとも約５ｍｍ、１０ｍｍ、１５ｍｍ、２０ｍｍ、３０ｍｍ、４０ｍｍなどであり得る。１つ以上の実施形態では、作用区域の直径は、約５０ｍｍ以下であり得る。１つ以上の実施形態では、検出器４０は、射出された光の特性、例えば、強度、光束、波長、積分光などを判定することができる。デバイス１０は、任意の好適な数の検出器４０、例えば、１つ、２つ、３つ、又はそれ以上の検出器を含むことができる。検出器４０は、回路２８に電気結合され得る。
【００４４】
動作中、試料が射出した光子は、検出器４０の入力面４２に衝突又は入射する。入力面を通って検出器へと透過するように作用区域内で入力面４２に入射する光子は、例えば、フィルタリングされ、増幅され、回路２８に伝達され得る電気信号を生成することができる。検出器４０が提供する電気信号の特性（例えば、電圧、電流、デューティーサイクル）は、試料が射出した光子の数に関係し得る。試料が射出した光子の数は、次いで、試料中に存在する生物物質の量に比例し得る。したがって、検出器４０が生成した電気信号は、試料中の生物物質の存在だけでなく、試料中に存在する生物物質の相対量の指標も提供することができる。１つ以上の実施形態では、検出器が検出した光出力は、相対発光量（ＲＬＵ）において特徴付けることができる。
【００４５】
任意の好適な位置で、デバイス１０のハウジング１２内に検出器４０を配設することができる。１つ以上の実施形態では、検出器４０は、光軸線３１に沿って配設される。更に、１つ以上の実施形態では、（図４に示すように）入力面４２の中心４６が光軸線上に配設されるように、光軸線３１に沿って検出器４０を配設することができる。入力面４２が光軸線３１と任意の好適な角度を形成するように、ハウジング１２内に検出器４０を配設することができる。１つ以上の実施形態では、入力面４２は光軸線に実質的に直交することができる。本明細書で使用する場合、「実質的に直交する」という語句は、入力面４２が、光軸線３１と少なくとも８５°であり、かつ９５°以下である角度を形成するように配設されていることを意味する。
【００４６】
検出器の入力面４２が、受け部本体３２の第２の端部３６に隣接するように、ハウジング１２内に検出器４０を配設することができる。ここで使用する場合、「第２の端部に隣接する」という語句は、入力面が、受け部３０内に配設された試料が射出した光を受光することができるように、検出器４０の入力面４２が受け部本体３２の第２の端部３６に近接して配設されていることを意味する。受け部本体３２の第２の端部３６から任意の好適な距離で、検出器４０の入力面４２を配設することができる。１つ以上の実施形態では、入力面４２と受け部本体３２の第２の端部３６との間の距離は調節可能であり得る。
【００４７】
光検出デバイス１０はまた、ハウジング１２内に、光軸線３１に沿って受け部本体３２の第２の端部３６と検出器４０の入力面４２との間に配設された反射体５０を含むことができる。反射体５０は、入力アパーチャ５６と、出力アパーチャ５８と、入力アパーチャと出力アパーチャとの間に延在する反射面５１と、を含むことができる（図５）。入力アパーチャ５６は、受け部本体３２の第２の端部３６に隣接して配設することができる。ここで使用する場合、「第２の端部に隣接して」という語句は、入力アパーチャ５６が、検出器４０の入力面４２よりも受け部本体３２の第２の端部３６に近接して配設されていることを意味する。また、出力アパーチャ５８を、検出器４０の入力面４２に隣接して配設することができる。ここで使用する場合、「入力面に隣接して」という語句は、出力アパーチャ５８が、受け部本体３２の第２の端部３６よりも入力面４２に近接して配設されていることを意味する。反射面５１は、反射体軸線５３に直交する平面において、任意の好適な断面形状又は形状の組み合わせ、例えば、円形、楕円形、多角形などを有することができる。１つ以上の実施形態では、反射面５１は、第１の断面形状、及び１つ以上の追加の断面形状を有することができる。例えば、反射面５１は、入力アパーチャ５６において円形断面形状を有し、出力アパーチャ５８において矩形断面形状を有することができ、反射面は、円形断面形状から矩形断面形状に遷移するようになっていてもよい。
【００４８】
入力アパーチャ５６は、反射体軸線５３に直交する平面において、任意の好適な直径を有することができる。例えば、１つ以上の実施形態では、入力アパーチャ５６の直径は、少なくとも約５ｍｍであり得る。更に、１つ以上の実施形態では、入力アパーチャ５６の直径は、約２５ｍｍ以下であり得る。一般に、入力アパーチャ５６は、試料採取装置のキュベット部及び／又は受け部本体３２の透過領域３８に適応するように寸法決めされる。入力アパーチャ５６は、反射体軸線５３と直交する平面において、任意の好適な断面積を有することができる。例えば、１つ以上の実施形態では、入力アパーチャ５６は、少なくとも１５ｍｍ２の断面積を有することができる。１つ以上の実施形態では、入力アパーチャは、５００ｍｍ２以下の断面積を有することができる。
【００４９】
また、出力アパーチャ５８は、反射体軸線５３と直交する平面において、任意の好適な直径を有することができる。例えば、１つ以上の実施形態では、出力アパーチャ５８の直径は、少なくとも約５ｍｍであり得る。更に、１つ以上の実施形態では、出力アパーチャ５８の直径は、約５０ｍｍ以下であり得る。出力アパーチャ５８は、反射体軸線５３と直交する平面において、任意の好適な断面積を有することができる。１つ以上の実施形態では、出力アパーチャ５８は、少なくとも１５ｍｍ２の断面積を有することができる。１つ以上の実施形態では、出力アパーチャ５８は、２０００ｍｍ２以下の断面積を有することができる。
【００５０】
一般に、出力アパーチャ５８は、検出器４０の入力面４２の作用区域に適応するように寸法決めされる。１つ以上の実施形態では、出力アパーチ５８の断面積は、検出器４０の入力面４２の作用区域以下である。１つ以上の実施形態では、検出器４０の入力面４２の作用区域は、反射体５０の出力アパーチャ５８により取り囲まれている。更に、１つ以上の実施形態では、出力アパーチ５８の断面積は、入力面４２の作用区域よりも小さくてもよい。例えば、出力アパーチャ５８の断面積は、入力面４２の作用区域よりも約１０％、５％、４％、３％、２％、１％小さくてもよい。１つ以上の実施形態では、出力アパーチャ５８の断面積は、入力面４２の作用区域よりも１〜１０％の範囲内で小さくてもよい。１つ以上の実施形態では、出力アパーチャ５８の断面積は、入力面４２の作用区域よりも１〜５％の範囲内で小さくてもよい。
【００５１】
反射体５０の出力アパーチャ５８の断面積は、入力アパーチャ５６の断面積に対して任意の好適な寸法であり得る。１つ以上の実施形態では、出力アパーチャ５８の断面積は、入力アパーチャ５６の断面積よりも大きい。１つ以上の実施形態では、出力アパーチャ５８の断面積は、入力アパーチャ５６の断面積の少なくとも約１．５倍である。１つ以上の実施形態では、出力アパーチャ５８の断面積は、入力アパーチャ５６の断面積の少なくとも約２倍である。１つ以上の実施形態では、出力アパーチャ５８の断面積は、入力アパーチャ５６の断面積の多くとも約７０倍である。
【００５２】
反射体５０は、入力アパーチャ５６と出力アパーチャ５８との間に、反射体軸線５３に沿って測定される任意の好適な長さを有することができる。１つ以上の実施形態では、反射体５０の長さは、少なくとも約１０ｍｍ、少なくとも約１２ｍｍ、少なくとも約１５ｍｍ、少なくとも約２０ｍｍ、少なくとも約３０ｍｍなどであり得る。１つ以上の実施形態では、反射体５０の長さは、約５０ｍｍ以下であり得る。
【００５３】
検出器４０の入力面４２の作用区域と任意の好適な関係で反射体５０を配設することができる。１つ以上の実施形態では、光軸線３１に沿って、入力アパーチャ５６、出力アパーチャ５８、及び入力面４２の作用区域をセンタリングすることができる。
【００５４】
反射面５１が受け部本体３２の透過領域３８の少なくとも一部分を取り囲むように、反射体５０を配設することができる。１つ以上の実施形態では、反射面５１が透過領域３８の全体を取り囲むように、反射体５０を配設することができる。１つ以上の実施形態では、反射面５１が透過領域３８の一部分のみを取り囲むように、反射体５０を配設することができる。１つ以上の実施形態では、反射面５１が、入力アパーチャ５６と出力アパーチャ５８と反射面とにより画定された容積内に透過領域３８を封入するように、当該反射面を成形することができる。更に、１つ以上の実施形態では、この容積の外側に透過領域３８の一部分を配設することができる。１つ以上の実施形態では、透過領域３８の全体をこの容積内に配設することができる。
【００５５】
反射面５１と検出器４０の入力面４２とは一緒に、光空洞４４を形成することができる。光空洞４４は中空であり得る。１つ以上の実施形態では、光空洞４４は、中実の光ガイドであってもよく、受け部本体３２の透過領域３８は、この中実の光ガイド内に配設されている。
【００５６】
反射体５０は、受け部３０内に配設された試料によって光空洞４４に射出される任意の好適な割合の光が作用区域内で検出器４０の入力面４２を通して方向付けられるようになっていてもよい。本明細書で使用する場合、「検出器４０の入力面４２を通して」という語句は、作用区域内で検出器の入力面に入射した光と入力面に対する法線ベクトルとが、検出器の受光角度以内である角度であることを意味している。検出器４０の受光角度は、作用区域内での入力面４２に入射する光が入力面を通り検出器内に方向付けられて検出される角度である。換言すると、検出器４０の入力面４２上の入射光で、入力面４２で反射されている、及び検出器４０内に向いていない光は、検出器の受光角度外である。１つ以上の実施形態では、試料が光空洞４４に射出した光のうちの少なくとも１５％が、検出器４０の入力面４２を通して方向付けられる。１つ以上の実施形態では、試料が光空洞４４に射出した光のうちの少なくとも２０％が、検出器４０の入力面４２を通して方向付けられる。１つ以上の実施形態では、試料が光空洞４４に射出した光のうちの少なくとも５０％が、検出器４０の入力面４２を通して方向付けられる。
【００５７】
反射面５１は、射出された光の少なくとも一部分を反射体５０が作用区域内で入力面４２を通して方向付けるような任意の好適な形状又は形状の組み合わせをとることができる。一般に、点光源の周りで回転した放物形状を有する反射体、例えば、複合放物面型集光器は、反射体の焦点に配設された点光源が射出した光を、平行な光線として反射体の出力アパーチャに再び方向付けることになる。本明細書で説明するような試料装置を参照すると、光は、受け部本体３２の透過領域３８を通して試料により射出され、それにより、点光源よりも大きな放射面を提供することができる。１つ以上の実施形態では、反射面５１は、実質的に円筒形であり得る。換言すると、反射面５１は、反射体の中心軸線５３に対して実質的に平行な側面を有するように形成することができる（図５）。１つ以上の実施形態では、反射面５１は、放物形状をとることができ、例えば、反射体軸線５３を中心に放物曲線を回転させて、放物形状の反射体を提供することができる。
【００５８】
反射面５１は、図５に示すように、第１の曲率半径６１を有する第１の部分５２を含むことができる。１つ以上の実施形態では、反射面５１全体が第１の曲率半径６１を有する。図５に示すように、第１の曲率半径６１は、中心６０を中心とする。第１の曲率半径６１の中心６０は、反射体５０に対して任意の好適な位置に配置することができる。例えば、１つ以上の実施形態では、反射体５０の出力アパーチャ５８が画定する平面５９上に、第１の曲率半径６１の中心６０を配設することができる。１つ以上の実施形態では、平面５９の下方に第１の曲率半径６１の中心６０を配置又は配設することができ、即ち、平面５９が反射体５０の中心６０と入力アパーチャ５６との間となるように中心６０を配設することができる。
【００５９】
１つ以上の実施形態では、反射体５０の反射面５１は、任意の好適な数の曲率半径を含むことができる。例えば、図５に示すように、反射面５１は、中心６２を中心とする第２の曲率半径６３を有する第２の部分５４を含む。第２の曲率半径６３は、第１の曲率半径６１と同じであり得る。１つ以上の実施形態では、第２の曲率半径６３は、第１の曲率半径６１とは異なる。第２の曲率半径６３の中心６２は、反射体５０に対して任意の好適な位置に配置することができる。例えば、１つ以上の実施形態では、平面５９上に第２の曲率半径を配置することができる。１つ以上の実施形態では、平面５９よりも下に第２の曲率半径６３の中心６２を配置することができ、即ち、平面５９が中心６２と反射体５０の入力アパーチャ５６との間となるように第２の曲率半径６３の中心６２を配設することができる。１つ以上の実施形態では、平面５９上に中心６０、６２を配設することができる。１つ以上の実施形態では、平面５９の下方に中心６０、６２の一方又は両方を配設することができる。
【００６０】
第１の部分５２と第２の部分５４とが異なる曲率半径を有するものとして反射体５０を表してきたが、反射面５１は、異なる曲率半径を有する３つ以上の部分を含むことができる。更に、１つ以上の実施形態では、反射体５０の反射面５１の好適な数の部分が、第１の曲率半径６１又は第２の曲率半径６３を含むことができる。
【００６１】
第１の曲率半径６１及び第２の曲率半径６３はそれぞれ、任意の好適な長さを含むことができる。１つ以上の実施形態では、第１の曲率半径６１及び第２の曲率半径６３の一方又は両方は、少なくとも約５０ｍｍ、５５ｍｍ、６０ｍｍ、６５ｍｍ、７０ｍｍ、１００ｍｍ、２００ｍｍ、５００ｍｍ、６００ｍｍ、７００ｍｍなどの半径を有することができる。更に、１つ以上の実施形態では、第１の曲率半径及び第２の曲率半径６１６３の一方又は両方は、約８００ｍｍ以下の半径を有することができる。
【００６２】
デバイス１０のハウジング１２内の任意の好適な位置に反射体５０を配設することができる。１つ以上の実施形態では、光軸線３１に沿って反射体５０を配設することができる。更に、１つ以上の実施形態では、反射体軸線５３を光軸線３１と実質的に位置合わせさせることができる。１つ以上の実施形態では、反射体５０が光軸線に沿ってセンタリングされるように、反射体軸線５３を光軸線３１と共線とすることができる。
【００６３】
第１の曲率半径６１を有する第１の部分５２を、第２の曲率半径６３を有する第２の部分５４に対して任意の好適な関係で配設することができる。１つ以上の実施形態では、第１の部分５２は、第２の部分５４に隣接している。１つ以上の実施形態では、第１の部分５２の一部分は、第２の部分５４の一部分と交差する、あるいは重なり合う。１つ以上の実施形態では、第１の部分５２は、反射面５１の曲率が連続するように、即ち、第１の部分が、２つの部分の間で屈曲することなく第２の部分５４に遷移するように、第２の部分５４に隣接している。１つ以上の実施形態では、第１の部分５２と第２の部分５４との間に平坦部分を配設することができる。更に、１つ以上の実施形態では、第１の部分５２と第２の部分５４との間に、リッジ、ステップ又はファセットを配設することができる。
【００６４】
１つ以上の実施形態では、反射体５０の反射面５１は、試料が光空洞４４に射出した光が任意の好適な回数、反射面に入射した後に、作用区域内で検出器４０の入力面４２を通して方向付けられるようになっていてもよい。例えば、１つ以上の実施形態では、光空洞４４に射出された光の少なくとも一部分は、例えば１０回以下、反射体５０の反射面５１で反射した後に、作用区域内で入力面４２を通して方向付けられる。１つ以上の実施形態では、光空洞４４に射出された光の少なくとも一部分は、１回以下、反射体５０の反射面５１で反射した後に、作用区域内で入力面４２を通して方向付けられる。１つ以上の実施形態では、光空洞４４に射出された光の少なくとも一部分は、反射面５１で反射することなく、あるいは、反射面５１に入射することなく、作用区域内で入力面４２を通して方向付けられる。反射面５１が多くとも１回反射させた後に、光空洞４４に射出された光のうちの任意の好適な割合を、即ち、多くとも１回の反射で、例えば、少なくとも１０％、少なくとも２０％、少なくとも３０％、少なくとも４０％、少なくとも５０％、少なくとも６０％、少なくとも７０％を作用区域内で入力面４２を通して方向付けることができる。任意の好適な技術又は技術の組み合わせを利用して、試料が光空洞４４に射出した光の、反射面５１が多くとも１回反射させた後に作用区域内で入力面４２を通して方向付けられる割合を判定することができ、例えば、ＴｒａｃｅＰｒｏ（Ｌａｍｂｄａ  Ｒｅｓｅａｒｃｈ  Ｃｏｒｐｏｒａｔｉｏｎ（Ｌｉｔｔｌｅｔｏｎ，Ｍａｓｓ））のような任意の好適な光線追跡ソフトウェアプログラムを使用して、反射体及び光空洞４４をモデル化することができる。
【００６５】
反射体５０は、反射体が反射性となるような任意の好適な材料又は材料の組み合わせ、例えば、金属、ポリマーなどを含むことができる。１つ以上の実施形態では、反射体５０は、多層光学フィルムを含む。任意の好適な多層光学フィルム又はフィルムの組み合わせ、例えば、（３Ｍ  Ｃｏｍｐａｎｙ（Ｓｔ．Ｐａｕｌ，ＭＮ）から市販されている）Ｖｉｋｕｉｔｉ（登録商標）Ｅｎｈａｎｃｅｄ  Ｓｐｅｃｕｌａｒ  Ｒｅｆｌｅｃｔｏｒ  Ｆｉｌｍ（ＥＳＲ）を利用することができる。多層光学フィルムを成形基材上に配設して、反射体５０の反射面５１を提供することができる。１つ以上の実施形態では、多層光学フィルムを所望の形状又は形状の組み合わせに成形して、反射面５１を提供することができる。例えば、１つ以上の実施形態では、多層光学フィルムを熱成形して、反射面５１に所望の形状を提供することができる。
【００６６】
反射面５１は、任意の好適な反射特性を提供することができる。例えば、反射面５１の少なくとも一部分は、鏡面反射面であり得る。１つ以上の実施形態では、反射面５１の少なくとも一部分は、拡散反射面であり得る。したがって、反射体５０は、鏡面反射体、拡散反射体、又は組み合わせ鏡面／拡散反射体であることができる。
【００６７】
デバイス１０はまた、検出器４０の精度を向上させるようになっている任意の追加の光学素子（１つ以上）を含むことができる。例えば、１つ以上の実施形態では、検出器４０の入力面４２に隣接して、マスク（図示せず）を配設することができる。本明細書で使用する場合、「入力面に隣接して配設する」という語句は、マスクが、検出器４０の入力面４２に、次いで反射体５０の入力アパーチャ５６に近接しているように配設されていることを意味する。マスクは、検出器４０の入力面４２に隣接して配設された別個の要素であり得る。１つ以上の実施形態では、マスクが反射体５０と一体となるようにマスクを形成することができる。１つ以上の実施形態では、入力面４２上にマスクを配設することができる。かかる実施形態では、任意の好適な技術又は技術の組み合わせを使用して、マスクを入力面４２に取り付けることができる。マスクが反射体５０の一部である実施形態では、マスクを検出器４０の入力面４２に取り付けて、入力面に対して反射体を封止し、それにより、試料が光空洞４４に射出した光が、入力面４２を通って透過する前に、当該空洞から透過することを防止することができる。マスクが含まれない実施形態では、光空洞４４に射出された光が空洞から流出しないように、任意の好適な技術又は技術の組み合わせを使用して、反射体５０を光導体の入力面４２に取り付けることができ、例えば、光漏出を防止するために光空洞が封止される。
【００６８】
検出器４０に対して任意の好適な関係で、反射体５０を配設することができる。例えば、反射体５０の出力アパーチャ５８は、任意の好適な距離、例えば、３０ｍｍ以下、２５ｍｍ以下、２０ｍｍ以下、１０ｍｍ以下、５ｍｍ超、１ｍｍ以下、５ｍｍ以下など、検出器４０の入力面４２から離れて配置することができる。１つ以上の実施形態では、出力アパーチャ５８における反射体５０の一部分は、検出器４０の入力面４２と接触していてもよい。更に、任意の好適な技術又は技術の組み合わせを使用して、反射体５０を検出器４０に接続することができる。例えば、反射体５０は、入力面４２及び検出器４０の両側のうちの一方又は両方と接触し得るレッジ６６を含むことができる（図４）。１つ以上の実施形態では、反射体が検出器に対して移動しないように、任意の好適な技術又は技術の組み合わせを使用して、反射体５０及び検出器４０を所定の位置に保持することができる。
【００６９】
デバイス１０はまた、光空洞４４に光を射出するようになっている光源７０を含むことができる。１つ以上の実施形態では、検出器４０のアナログカウントレベルの判定を補助することができる基準光源として光源７０を利用することができる。図４に示すように、光源７０からの基準光を、反射体５０に形成された開口部を通して光空洞４４へと方向付けることができる。開口部は、任意の好適な形状をとることができ、任意の好適な寸法を有することができる。１つ以上の実施形態では、開口部は、ピンホール開口部であり得る。光源７０は、デバイス１０のハウジング１２内に配設された回路２８に電気結合され得る。１つ以上の実施形態では、デバイス１０は、光源に応答する検出器４０の出力に基づいて光源７０を制御するために利用され得るフィードバックループを含むことができる。光源７０は、任意の好適な光源、例えば、１つ以上の発光ダイオードを含むことができる。
【００７０】
光源の射出軸線７２が光軸線３１と任意の好適な角度を形成するように、光源７０を配設することができる。本明細書で使用する場合、「射出軸線」という用語は、光源がそれに沿って最大強度の光を射出する光源の軸線を指す。１つ以上の実施形態では、光源７０の射出軸線７２は、検出器４０の入力面４２の作用区域の中心４６と交差する。更に、１つ以上の実施形態では、射出軸線７２は、光軸線３１に対して平行ではない。１つ以上の実施形態では、光源から光空洞４４への配光がより均一になるように、光源７０と検出器４０の入力面４２との間に拡散体（図示せず）を配設することができる。
【００７１】
１つ以上の実施形態では、検査対象の材料の試料を受け部３０に直接配設することができる。１つ以上の実施形態では、受け部３０に配設された試料採取装置に、試料を配設することができる。任意の好適な試料採取装置、例えば、ＰＣＴ国際公開第２０１４／００７８４６号及び米国特許出願公開第２０１２／０３２９０８１号に記載される試料採取装置をシステム２と共に利用することができる。例えば、図６は、試料採取装置８０の一実施形態の概略断面図である。試料採取装置８０は、試料採取デバイス８１及び容器９０を含む。試料採取デバイス８１は、任意の好適な試料採取デバイスを含むことができる。試料採取デバイス８１は、ハンドル８４と試料採取部８８とを含むハンドル部８２を含む。任意のステム８６を介して試料採取部８８をハンドリング部８２に結合することができる。容器９０に受け入れられるように試料採取デバイス８１を成形及び寸法決めすることができる。ハンドリング部８２は、任意の好適な材料又は材料の組み合わせを含むことができ、使用中に試料採取デバイス８１を把持及び／又は操作することができる位置として機能することができる。試料採取デバイス８１を容易に手動で又は機械的に把持できるようにするために、ハンドル８４を成形する、及び／又はテクスチャ加工することができる。
【００７２】
試料採取部８８は、試料源から試料を取得及び保持することが可能な任意の好適な材料又は材料の組み合わせを含むことができる。１つ以上の実施形態では、試料採取部は、環境表面、例えば、食品処理工場及び食品処理設備で見られる表面、並びに、病室又は手術室の高頻度接触面、及び、外科用器具、硬性内視鏡及び可撓性内視鏡を含む医療用デバイスの表面を含む病院で見られる表面から収集される試料を保持することができる。１つ以上の実施形態では、試料採取部８８は、液体試料、例えば、水質検査を含む食品処理動作で使用される液体、管腔手術器具及びカニューレ手術器具並びに他の医療用デバイスの内側表面から試料を収集するために使用される無菌水、並びに透析及び内視鏡検査などの医療手技で使用される水を保持することができる。１つ以上の実施形態では、試料採取デバイス８１は、例えば試料採取部８８に、デバイスが試料内に配設されている、又は試料と接触する時に、コーティングが試料と接触するようなコーティングを含むことができる。任意の好適なコーティング又はコーティングの組み合わせを試料採取デバイス８１と共に含むことができる。
【００７３】
容器９０は、少なくとも１つの壁９１と、試料採取デバイス８１を受け入れるようになっている開口部９３と、を含むことができる。１つ以上の実施形態では、容器９０は、試料採取デバイス８１全体を受け入れるようになっていてもよい。容器９０はまた、光検出デバイス、例えば、光検出デバイス１０に動作可能に結合するようになっているキュベット部１００を含むことができる。１つ以上の実施形態では、キュベット部１００は、光検出デバイスの招待型の受け入れ区画、例えば、システム２の受け部３０に、容器９０のキュベット部又は容器全体を入れることによって、光検出デバイスに動作可能に結合される。
【００７４】
キュベット部１００は、任意の好適な材料又は材料の組み合わせを含むことができる。１つ以上の実施形態では、キュベット部９０は、試料採取デバイス８１内の触媒反応の生成物として射出された光、例えば、ルシフェラーゼ酵素による触媒反応の生成物として射出された光の透過を可能にする光透過領域を提供する材料又は材料の組み合わせを含む。
【００７５】
容器９０内に試薬組成物９６を配設することができる。試薬組成物９６は、液体試薬、気体試薬又は固体試薬であり得る。試薬組成物９６は、任意の好適な試薬又は試薬の組み合わせ、例えば、ルシフェリン／ルシフェラーゼＡＴＰ検出試薬、ニンヒドリン、及びビシンコニン酸タンパク検出試薬を含むことができる。
【００７６】
キュベット部１００に隣接して配設された脆弱壁９２により形成された容器９０の閉鎖区画９４に試薬９６を配設することができる。脆弱壁９２は、任意の好適な材料又は材料の組み合わせを含むことができる。１つ以上の実施形態では、脆弱壁９２は、耐水性材料、例えば、プラスチックフィルム、金属箔、又は金属被覆プラスチックフィルムで作製され得る。任意の好適な技術又は技術の組み合わせ、例えば、接着剤、ヒートシール、ソニックウェルドなどを使用して、脆弱壁９２をキュベット部１００及び／又は容器９０の壁９１に取り付けることができる。
【００７７】
一般に、例えば、任意の好適な技術又は技術の組み合わせを使用して、液体試料におけるＡＴＰの有無を検出するために、光検出システムを使用することができる。試料中のＡＴＰの存在は、試料中の有機残留物及び／又は微生物（例えば、病原微生物）が存在する可能性を示すことができる。１つ以上の実施形態では、試料中のＡＴＰの量は、試料中の微生物の相対数の指標であり得る。
【００７８】
例えば、試料採取装置８０を利用して、所定の体積の液体試料を取得することができる。所定の体積の試料を容器９０中の液体試薬組成物９６と接触させて反応混合物を形成するために、試料採取デバイス８１を使用することができる。次いで、光検出デバイス、例えば、光検出デバイス１０と共に試料採取装置を利用して、反応混合物から射出された光を検出することができる。
【００７９】
１つ以上の実施形態では、試料採取装置８０を利用して、表面上の残留物、例えば、固体表面に見出される液体残留物及び／又は固体残留物中に存在するＡＴＰを検出することができる。例えば、試料採取装置８０を利用して、表面を洗浄するために使用されるプロセスの有効性を検出することができる。多くの環境（例えば、食品加工施設、病院）では、洗浄プロセスは、検査される表面から検出可能なＡＴＰを実質的に減少又は除去するべきである。試料採取装置８０を利用して検査することができる好適な試料としては、これらに限定されないが、処理設備（例えば、食品処理表面、管、ドレイン、コンベヤ、保管容器）、環境表面（例えば、シンク、天板、引き出し、床、壁、天井、扉、ベッドレール、リネン、コンピュータのタッチスクリーン、キーボード、モニタ）、及び医療設備又はデバイス（例えば、内視鏡、リトラクタ、トロカール、外科用メス、トレー）が挙げられる。かかる試料は、表面に存在する液体残留物及び／又は固体残留物を含むことがある。
【００８０】
１つ以上の実施形態では、試料採取デバイス８１を使用して試料を取得することができる。試料採取デバイス８１が容器９０に挿入される。試料採取デバイス８１のハンドル８４に対する手動の又は機械的な圧力を使用して、試料採取部８８を脆弱壁９２を断裂するまで区画９４に向かって付勢し、図６に示されるように、試料採取部８８と関連付けられた液体試料（図示せず）を試薬組成物９６と接触させる。試料採取デバイス８１及び容器９０は互いに対して操作位置に配設される。１つ以上の実施形態では、試料採取装置８１は、容器９０に完全に挿入され試料採取デバイスの試料採取部８８が液体試薬組成物９６に接触する。
【００８１】
受け部３０内に試料採取装置８０を配置することによって、生物発光試料を光検出デバイス１０の受け部３０内に配設することができる。扉１１を開くことができ、検出デバイス１０のハウジング１２のポート２０の開口部２１に試料採取装置を挿入することができる。光空洞４４内で、受け部３０自体の上、又は受け部本体３２の任意の透過領域３８内のいずれかにキュベット部１００の少なくとも一部分が配設されるまで、試料採取装置８０を受け部３０に挿入することができる。反応混合物の形成前又は形成後に、キュベット部１００を光検出デバイス１０に動作可能に結合することができる。本明細書で使用する場合、「動作可能に結合する」という用語は、試料が射出し得る光の少なくとも一部分を作用区域内で入力面４２を通して方向付けることができるように、キュベット部１００がハウジング１２内に配設されることを意味する。１つ以上の実施形態では、反応混合物が形成された後に、キュベット部１００を光検出デバイス１０に動作可能に結合する。１つ以上の実施形態では、キュベット部１００は、光学信号を提供するために、任意の好適な時間長さ、例えば、少なくとも１秒間、５秒間、１０秒間、１５秒間、２０秒間、３０秒間、６０秒間、２分間、５分間、１０分間、１５分間、２０分間などにわたって、光検出デバイスに動作可能に結合される。
【００８２】
試料採取装置のキュベット部１００がデバイスに動作可能に結合されるように試料採取装置８０を光検出デバイス１０の受け部３０内に配設した後、当該デバイスにより発光を監視する。試料が射出し得る光の少なくとも一部分は、光空洞４４へと透過され得る。この透過された光の第１の部分は、反射体５０が反射させることも、あるいは試料に吸収されることもなく、作用区域内で検出器４０の入力面４２を通して方向付けられ得る。光空洞４４に射出された光の第２の部分は、反射体５０の反射面５１が反射させることによって、作用区域内で入力面４２を通して方向付けられ得る。
【００８３】
検出器４０を使用して、射出された光の１つ以上の特性を測定することができる。例えば、検出器４０を利用して、受け部３０内に配設された試料が射出し得た１つ以上の光子を検出することができる。１つ以上の実施形態では、検出デバイス１０は、反応混合物から射出された光を検出し、選択した量（例えば、試料中に存在するＡＴＰの相対量又は絶対量）を測定することができる。この光出力は、光検出デバイス１０により定量化することができる。試料中のＡＴＰの存在は、微生物の存在の直接の指標であり得る（即ち、ＡＴＰは、他のＡＴＰ源を含んでいない試料中の微生物に由来する）か、あるいは、ＡＴＰは、微生物の存在の間接的な指標であり得る（即ち、ＡＴＰは、植物性又は動物性の物質に由来し、微生物の成長を支援する栄養素が試料中に存在し得ることを示す）。
【００８４】
光検出デバイス（例えば、光検出デバイス１０）を使用して試料が射出した光を測定する時、射出された光の検出中にデバイスが保持又は配置される角度は、デバイスの精度に影響を及ぼし得る。適切な角度で保持されていない器具を用いて試料を測定すると、測定値と実数値との差は２０％を超えることがある。これは、測定される試料が、典型的には、測定可能なメニスカスを有することができる試料採取装置のキュベット部（例えば、装置８０のキュベット部１００）に配設されたわずかな体積（１ｍＬ未満）の液体試料であり得るからである。器具が不適当な角度で保持された時には、試料の少なくとも一部分は、システムの検出デバイスの光空洞（例えば、デバイス１０の光空洞４４）の外側に配設され、それにより、光空洞へと光を射出することができる試料の体積が低減し、したがって、誤信号を生じる可能性がある。総生物発光放射輝度は、バルク溶液と試料採取デバイスの試料採取部（例えば、デバイス８１の試料採取部８８）の双方から射出される。この傾斜は、分析される試料の放射輝度に影響を及ぼし得る。
【００８５】
１つ以上の実施形態では、検出デバイス１０はまた、１つ以上の実施形態において検出デバイス１０の傾斜角を測定することができる傾斜検出構成要素（図示せず）を含むことができる。本明細書で使用する場合、「傾斜角」という用語は、ハウジング軸線４と垂直軸線との間に形成される角度を意味する。本明細書で使用する場合、「垂直軸線」という用語は、地球の重力場と位置合わせされている軸線を指す。傾斜検出構成要素は、デバイス１０が適切な傾斜角内に位置している時、及び／又はデバイスが不適当な傾斜角に位置している時に、ユーザにフィードバックを提供することができる。任意の好適な技術又は技術の組み合わせを使用して、そのようなフィードバックをユーザに提供することができる、例えば、ディスプレイ２４上に読出しとしてフィードバックを提供することができる、あるいは、デバイス１０は、触覚フィードバックをユーザに提供するようになっていてもよい。例えば、試料が射出した光を検出する間、器具が正しい傾斜角で保持されていない時、及び／又は器具が正しい傾斜角で保持されている時には、ディスプレイ２４上のオンスクリーンメッセージによってユーザに警告することができ、あるいは、デバイス１０は、触覚フィードバックを提供することができる。デバイス１０が正しい傾斜角内に位置するように、デバイス１０を再配向するオンスクリーン命令をユーザに提供することができる。傾斜検出構成要素を利用して、任意の好適な傾斜角又は傾斜角の範囲をユーザに指示することができる。１つ以上の実施形態では、例えば、ハウジング内に配設された試料の量によって、並びに、ハウジング内の検出器の光学的性質及び構成によって、望ましい傾斜角を判定することができる。一般に、ハウジング内に配設された試料の１つ以上の特性の最も正確な検出を行うように傾斜角を選択することができる。
【００８６】
傾斜検出構成要素は、垂直軸線に対するデバイス１０の向きを判定することができる任意の好適な回路又は要素を含むことができる。例えば、１つ以上の実施形態では、マイクロプロセッサによりサンプリングされた傾斜角を傾斜センサにより測定することができ、マイクロプロセッサは、デバイス１０のハウジング１２内又はハウジング１０の外部のいずれかに配設され、傾斜センサに無線結合されるか、あるいは有線結合を介して結合されている。試料の分析の前又はその間に、傾斜センサにより提供されたデータを平均化又は正規化して、デバイス１０の傾斜角の安定近似値を得ることができる。傾斜検出構成要素は、任意の好適な精度を有するように較正され得る。例えば、１つ以上の実施形態では、例えば、２０％傾斜角測定角度を提供するように傾斜検出構成要素を較正することができる。
【００８７】
任意の特定の理論により制限されることを望むものではないが、測定される試料が典型的には試料採取装置のキュベット部に配設された小さな体積（１ｍＬ未満）の液体試料であり得、試料は、測定可能なメニスカスを有し得るので、適切な角度で保持されていない器具を用いて試料を測定すると、実数値に対して２０％大きい測定値の差が生じ得る。デバイスが不適当な角度で保持された時には、試料の少なくとも一部分は、検出器に光を方向付ける、システムの検出デバイスの光空洞の外側に配設され、それにより、光空洞へと光を射出することができる試料の体積が低減し、したがって、誤信号を生じる可能性がある。したがって、この傾斜は、分析される試料の放射輝度に影響を及ぼし得る。
【００８８】
１つ以上の実施形態では、傾斜検出構成要素を利用して、顧客使用行動及び誤用イベントを測定することもでき、これは、所望のサービスインターバルを予測する際に、あるいはトレーニング及びガイダンスを提供する際に有用であり得る。更に、傾斜検出構成要素の１つ以上の実施形態は、測定した傾斜角に基づいて、ＲＬＵデータのリアルタイムな数学的正規化を行うことができる。このアルゴリズムは、実際の傾斜角の限界値に制約され得る。例えば、測定された角度が９０度よりも大きいと、即時に警告がプロンプトされ、正規化アルゴリズムが抑制される。１つ以上の実施形態では、ユーザに傾斜角に関するフィードバックを提供することにより、ユーザは、複数の試料にわたって同じ傾斜角を維持することが可能になり、それにより、試料採取周期毎に、また試料毎により一貫した読取を可能にすることができる。
【００８９】
任意の好適な技術又は技術の組み合わせを利用して、適切な傾斜角を有する位置で光検出デバイス１０を維持することができる。例えば、１つ以上の実施形態では、所望の傾斜角で作業面上にデバイスを載置することができるように作業面上にデバイスを配置することができるように、デバイス１０のハウジング１２に支持部材（１つ以上）を接続することができる。任意の好適な支持部材（１つ以上）、例えば、２０１５年３月１３日付けで出願された、同時係属中の米国仮特許出願第６１／１３２，７９４号（代理人書類番号７６０７１ＵＳ００２）に記載されている支持部材をハウジング１２に接続することができる。
【００９０】
本明細書に引用されるすべての参考文献及び刊行物は、それらが本開示と直接矛盾し得る場合を除き、それらの全容を参照によって本開示に明確に援用するものである。本開示の例示的実施形態を検討すると共に本開示の範囲内の可能な変形例を参照してきた。本開示のこれらの及び他の変形例及び変更例は開示の範囲から逸脱することなく当業者には明らかであろうと共に、本開示は本明細書に記載された例示的実施形態に限定されないことは理解されよう。したがって、本開示は、以下に記載の特許請求の範囲によってのみ限定されるものとする。
【図１】
2018509624.tif 000003
【図２】
2018509624.tif 000004
【図３】
2018509624.tif 000005
【図４】
2018509624.tif 000006
【図５】
2018509624.tif 000007
【図６】
2018509624.tif 000008
【国際調査報告】
2018509624.tif 000009
2018509624.tif 000010
2018509624.tif 000011